(57)【要約】【課題】像保持体の周囲に空間を確保することができ、小型化することができる画像形成装置を提供する。【解決手段】画像形成装置１０は、感光体ドラム２１０と、発光部１４０から発光された光を感光体ドラム２１０に導く導光部材１２０と、感光体から像が転写される中間転写ベルト６２と、中間転写ベルト６２を支持する右側板１０２及び左側板１０４とを有し、導光部材１２０は、右側板１０２及び左側板１０４に支持されている。また、画像形成装置１０は、感光体ドラム２１０の一部分が露出するように感光体ドラム２１０が装着される感光体ユニット本体２０２を有し、導光部材１２０は感光体ユニット本体２０２に対して押圧され、位置決めされる。【選択図】図６
2010191328.tif 000002
【特許請求の範囲】
【請求項１】
像を保持する像保持体と、
光源から発せられた除電用の光を前記像保持体に導く導光部材と、
前記像保持体から像が転写される転写体と、
前記転写体を支持する転写体支持部と、
を有し、
前記導光部材は、前記転写体支持部に支持されている画像形成装置。
【請求項２】
前記像保持体が装着される筐体をさらに有し、
前記導光部材は、前記筐体に対して押圧されて位置決めされる請求項１記載の画像形成装置。
【請求項３】
前記像保持体の一部分を前記筐体から露出させる第１の位置と、前記像保持体の前記筐体から露出した部分を覆う第２の位置との間で移動するように前記筐体に装着された移動部材をさらに有し、
前記筐体は画像形成装置本体内に着脱可能であって、
前記移動部材は、前記筐体が前記画像形成装置本体内に装着され、画像形成が可能な状態にあっては前記第１の位置に配置され、前記画像形成装置本体内から取り外された状態にあっては前記第２の位置に配置される請求項２記載の画像形成装置。
【請求項４】
前記転写体支持部は、前記画像形成装置本体に対して開閉可能であり、
前記移動部材は、前記転写体支持部が前記画像形成装置本体に対して開く動作に連係して前記第１の位置から前記第２の位置へと移動し、前記転写体支持部が前記画像形成装置本体に対して閉じられる動作に連係して前記第２の位置から前記第１の位置へ移動する請求項３記載の画像形成装置。
【請求項５】
前記導光部材は、前記転写体支持部が前記画像形成装置本体に対して開かれる動作に連係して、前記移動部材が前記第２の位置へと移動することに先立ち前記像保持体近傍から退避し、前記転写体支持部が前記画像形成装置本体に対して閉じられる動作に連係して、前記移動部材が前記第１の位置へ移動した後、前記筐体に対して押圧される請求項４記載の画像形成装置。
【発明の詳細な説明】
【技術分野】
【０００１】
本発明は、画像形成装置に関する。
【背景技術】
【０００２】
特許文献１には、転写ユニットと、着脱可能な感光体ユニットとしてプロセスカートリッジを有する画像形成装置において、前記転写ユニットの中間転写ベルトとプロセスカートリッジとのニップ部にクリーニング前の感光体ドラムを除電する除電ランプが搭載されている画像形成装置が開示されている。
【先行技術文献】
【特許文献】
【０００３】
【特許文献１】特開２００５−１８１６１３号公報
【発明の概要】
【発明が解決しようとする課題】
【０００４】
本発明は、像保持体の周囲に空間を確保することができ、小型化することができる画像形成装置を提供することを目的とする。
【課題を解決するための手段】
【０００５】
請求項１に係る本発明は、像を保持する像保持体と、光源から発せられた光を前記像保持体に導く導光部材と、前記像保持体から像が転写される転写体と、前記転写体を支持する転写体支持部と、を有し、前記導光部材は、前記転写体支持部に支持されている画像形成装置である。
【０００６】
請求項２に係る本発明は、前記像保持体が装着される筐体をさらに有し、前記導光部材は、前記筐体に対して押圧されて位置決めされる請求項１記載の画像形成装置である。
【０００７】
請求項３に係る本発明は、前記像保持体の一部分を前記筐体から露出させる第１の位置と、前記像保持体の前記筐体から露出した部分を覆う第２の位置との間で移動するように前記筐体に装着された移動部材をさらに有し、前記筐体は画像形成装置本体内に着脱可能であって、前記移動部材は、前記筐体が前記画像形成装置本体内に装着され、画像形成が可能な状態にあっては前記第１の位置に配置され、前記画像形成装置本体内から取り外された状態にあっては前記第２の位置に配置される請求項２記載の画像形成装置である。
【０００８】
請求項４に係る本発明は、前記転写体支持部は、前記画像形成装置本体に対して開閉可能であり、前記移動部材は、前記転写体支持部が前記画像形成装置本体に対して開く動作に連係して前記第１の位置から前記第２の位置へと移動し、前記転写体支持部が前記画像形成装置本体に対して閉じられる動作に連係して前記第２の位置から前記第１の位置へ移動する請求項３記載の画像形成装置である。
【０００９】
請求項５に係る本発明は、前記導光部材は、前記転写体支持部が前記画像形成装置本体に対して開かれる動作に連係して、前記移動部材が前記第２の位置へと移動することに先立ち前記像保持体近傍から退避し、前記転写体支持部が前記画像形成装置本体に対して閉じられる動作に連係して、前記移動部材が前記第１の位置へ移動した後、前記筐体に対して押圧される請求項４記載の画像形成装置である。
【発明の効果】
【００１０】
請求項１に係る本発明によれば、像保持体の周囲に空間を確保することができ、小型化することができる画像形成装置を提供することができる。
【００１１】
請求項２に係る本発明は、請求項１に係る本発明が奏する効果を奏することに加えて、本構成を有しない場合と比較して、像保持体に対して導光部材を正確に位置決めすることができる画像形成装置を提供することができる。
【００１２】
請求項３に係る本発明によれば、請求項２に係る本発明が奏する効果に加えて、本構成を有しない場合と比較して、像保持体の劣化を抑制することができる画像形成装置を提供することができる。
【００１３】
請求項４に係る本発明によれば、請求項３に係る本発明が奏する効果を奏することに加えて、本構成を有しない場合と比較して画像形成装置本体内への像保持体の着脱操作を簡単にすることができる画像形成装置を提供することができる。
【００１４】
請求項５に係る本発明によれば、請求項４に係る本発明が奏する効果を奏することに加えて、移動部材に干渉することなく導光部材を像保持体に対して位置決めすることができる画像形成装置を提供することができる。
【図面の簡単な説明】
【００１５】
【図１】本発明の実施形態に係る画像形成装置を示す斜視図である。
【図２】図１に示す画像形成装置を示す断面図である。
【図３】図１に示す画像形成装置の本体に対して主開閉部が開閉される様子と、該本体内に感光体ユニットが着脱される様子とを示す側面図である。
【図４】図１に示す画像形成装置に用いられる感光体ユニットを示す断面図である。
【図５】図４に示す感光体ユニットが有するシャッタ部材の動作を説明し、図５（ａ）はシャッタ部材が第２の位置にある状態を示す断面図であり、図５（ｂ）はシャッタ部材が第１の位置にある状態を示す断面図である。
【図６】図１に示す画像形成装置が有するベルトユニットを示す第１の斜視図である。
【図７】図６に示すベルトユニットを示す第２の斜視図である。
【図８】図６に示すベルトユニットを示す底面図である。
【図９】図６に示すベルトユニットの一部を拡大して示す側面図である。
【図１０】図１に示す画像形成装置の本体に対して、ベルトユニットが開かれる際の動作を説明する流れ図である。
【図１１】図１に示す画像形成装置の本体に対して、ベルトユニットが閉じられる際の動作を説明する流れ図である。
【発明を実施するための形態】
【００１６】
次に、本発明を実施するための形態を、図面を参照して説明する。
図１及び図２には、本発明の第１の形実施形態に係る画像形成装置１０が示されている。図１及び図２に示されるように、画像形成装置１０は画像形成装置本体１６を有する。
【００１７】
画像形成装置本体１６には、前方側開閉部１８がヒンジ２０を用いて画像形成装置本体１６に対して開閉することができるように取り付けられている。また、画像形成装置本体１６には、主開閉部２６がヒンジ２８を用いて画像形成装置本体１６に対して開閉することができるように装着されている。また、画像形成装置本体１６の前側には、操作部３２が取り付けられている。
【００１８】
前方側開閉部１８には、供給用開閉部２２が開閉できるように取り付けられている。供給用開閉部２２は、通常は図１及び図２に示すように前方側開閉部１８に対して閉じられている。後述するシート供給装置５１０に収納されたシートとは異なるシートを用いる際に、供給用開閉部２２は前方側開閉部１８に対して開かれる。
【００１９】
主開閉部２６は、通常は画像形成装置本体１６に対して閉じられている。後述する感光体ユニット２００Ｙ、２００Ｍ、２００Ｃ、２００Ｂを画像形成装置本体１６内に着脱する際に主開閉部２６は開かれる。主開閉部２６に装着され、後述する支持ロール７０、中間転写ベルト６２等が前方側開閉部１８と干渉することを防止するため、主開閉部２６を開くことに先立ち、前方側開閉部１８が画像形成装置本体１６に対して開かれる。
【００２０】
前方側開閉部１８を画像形成装置本体１６に対して閉じる際には、前方側開閉部１８を閉じることに先立って、主開閉部２６が画像形成装置本体１６に対して閉じられる。主開閉部２６は、上側の面が画像の形成されたシートが排出される排出部として用いられる。
【００２１】
主開閉部２６には、副開閉部３０が主開閉部２６に対して開閉することができるように取り付けられている。副開閉部３０は主開閉部２６とは独立して開閉することができ、主開閉部２６が画像形成装置本体１６に対して閉じられた状態で、主開閉部２６に対して開いた状態とすることができる。副開閉部３０は、後述するクリーニング装置９６の全部又は一部を画像形成装置本体１６内に着脱する際に開かれる。
【００２２】
操作部３２は、例えば、画像形成するシートの枚数を入力するテンキーや、画像形成を開始する際に操作される開始ボタン等を有する。
【００２３】
画像形成装置本体１６内には、シートに画像を形成する画像形成部４０が設けられている。画像形成部４０は、例えば４個の感光体ユニット２００Ｙ、２００Ｍ、２００Ｃ、２００Ｋを有する。
【００２４】
感光体ユニット２００Ｙ、２００Ｍ、２００Ｃ、２００Ｋは、それぞれが像形成構造体として用いられていて、感光体ドラム２１０Ｙ、２１０Ｍ、２１０Ｃ、２１０Ｋをそれぞれが有し、それぞれが画像形成装置本体１６内に着脱することができる。感光体ユニット２００Ｙ、２００Ｍ、２００Ｃ、２００Ｋは、画像形成装置本体１６の後側（図２における右側）から順に、感光体ユニット２００Ｙ、２００Ｍ、２００Ｃ、２００Ｋの順に並べられている。感光体ユニット２００Ｙ、２００Ｍ、２００Ｃ、２００Ｋの詳細は後述する。
【００２５】
感光体ドラム２１０Ｙ、２１０Ｍ、２１０Ｃ、２１０Ｋは、それぞれが像を保持する像保持体として用いられている。
【００２６】
また、画像形成部４０は、潜像形成装置として用いられる光書き込み装置４４を有する。光書き込み装置４４は、感光体ドラム２１０Ｙ、２１０Ｍ、２１０Ｃ、２１０Ｋのそれぞれに対して光を照射して、感光体ドラム２１０Ｙ、２１０Ｍ、２１０Ｃ、２１０Ｋのぞれぞれの表面に潜像を形成する。
【００２７】
また、画像形成部４０は、現像装置４６Ｙ、４６Ｍ、４６Ｃ、４６Ｋを有する。現像装置４６Ｙは、収納するイエローのトナーを用いて感光体ドラム２１０Ｙに形成された潜像を現像する。現像装置４６Ｍは、収納するマゼンタのトナーを用いて感光体ドラム２１０Ｍに形成された潜像を現像する。現像装置４６Ｃは、収納するシアンのトナーを用いて感光体ドラム２１０Ｃに形成された潜像を現像する。現像装置４６Ｙは、収納する黒のトナーを用いて感光体ドラム２１０Ｙに形成された潜像を現像する。
【００２８】
また、画像形成部４０は転写装置５８を有し、転写装置５８は、中間転写ベルトユニット６０及び２次転写装置８４を有し、中間転写ベルトユニット６０は中間転写ベルト６２を有する。
【００２９】
中間転写ベルト６２は、感光体ドラム２１０Ｙ、２１０Ｍ、２１０Ｃ、２１０Ｋから像（トナー像）が転写される転写体として用いられている。また、中間転写ベルト６２は、無端状であって、支持ロール６４、６６、６８、７０、７２に、図２に矢印で示す方向に回転することができるように掛けわたされている。支持ロール７０には、後述するギア９２（図６参照）を介して後述するモータ９０（図５参照）からの駆動が伝達され、モータ９０からの駆動の伝達を受けて回転することで、支持ロール７０は中間転写ベルト６２に駆動を伝達する。
【００３０】
また、中間転写ベルトユニット６０は、１次転写装置として用いられる１次転写ロール８０Ｙ、８０Ｍ、８０Ｃ、８０Ｋを有する。１次転写ロール８０Ｙ、８０Ｍ、８０Ｃ、８０Ｋは、感光体ドラム２１０Y、２１０M、２１０Ｃ、２１０Ｋの表面にそれぞれが形成されたイエロートナー像、マゼンタのトナー像、シアンのトナー像、黒のトナー像を、中間転写ベルト６２転写する。中間転写ベルトユニット６０については、後に説明を加える。
【００３１】
２次転写装置８４は、２次転写ロール８６を有する。２次転写ロール８６は、中間転写ベルト６２に転写されたイエローのトナー像、マゼンタのトナー像、シアンのトナー像、及び黒のトナー像を、シートに対してさらに転写する。
【００３２】
また、転写装置５８は、クリーニング装置９６を有し、クリーニング装置９６は掻き落とし部材９８を有する。掻き落とし部材９８は、２次転写ロール８６でシートに対して各色のトナー像が転写された後に、中間転写ベルト６２の表面に残留する各色のトナーを掻き落とす。クリーニング装置９６の本体内には、掻き落とし部材９８によって掻き落とされたトナーが回収される。クリーニング装置９６は、副開閉部３０を開くことによって形成される開口部を介して画像形成装置本体１６内に着脱することができるようになっている。
【００３３】
転写装置５８を構成する部材のうち、中間転写ベルトユニット６０と、クリーニング装置９６とは主開閉部２６に装着されている。転写装置５８のうち、２次転写ロール８６は画像形成装置本体１６に装着されている。
【００３４】
また、画像形成装置本体１６内には、２次転写ロール８６によってシートに転写されたトナー像をシートに定着する定着装置５０が設けられている。
【００３５】
また、画像形成装置本体１６内には、回収容器３００が設けられている。回収容器３００には、現像装置４６Ｙ、４６Ｍ、４６Ｃ、４６Ｋから排出された余剰現像剤が回収される。回収容器３００は、例えば感光体ユニット２００Ｋと一体となっている。
【００３６】
また、画像形成装置本体１６内には、画像形成部４０にシートを供給するシート供給装置５１０が装着されている。シート供給装置５１０は、画像形成装置本体１６の前側（図２における左側）に引き出すことができるようになっていて、シート供給装置５１０を画像形成装置本体１６から引き出した状態でシートが補充される。
【００３７】
シート供給装置５１０は、例えば普通紙等のシートを積層した状態で収納するシート収納容器５１２を有する。また、シート供給装置５１０は、シート収納容器５１２に収納された最上位のシートを抽出し、抽出したシートを画像形成部４０へ向けて搬送する搬送ロール５１４を有する。また、シート供給装置５１０は、シートを捌き、画像形成部４０に複数枚のシートが重なった状態で搬送されることを防止するために用いられるリタードロール５１６を有する。
【００３８】
また、画像形成装置本体１６内には、シートの搬送に用いられる搬送路５３０が形成されている。搬送路５３０は、主搬送路５３２と、反転搬送路５３４と、副搬送路５３６とを有する。
【００３９】
主搬送路５３２は、シート供給装置５１０から供給されたシートを画像形成部４０に搬送し、画像が形成されたシートを画像形成装置本体１６外に排出するために用いられる。主搬送路５３２に沿って、シートが搬送される方向における上流側から順に、先述の搬送ロール５１４及びリタードロール５１６と、レジストロール５４２と、先述の２次転写ロール８６と、先述の定着装置５０と、排出ロール５４４とが配置されている。
【００４０】
レジストロール５４２は、シート供給装置５１０側から搬送されてきたシートの先端部を一時的に停止させ、中間転写ベルト６２に各色のトナー像が転写されるタイミングと合致するようにシートを２次転写ロール８６に向けて送り出す。
【００４１】
排出ロール５４４は、定着装置５０によって各色のトナーが定着されたシートを画像形成装置本体１６外に排出する。
【００４２】
反転搬送路５３４は、一方の面にトナー像が定着されたシートを反転させつつ再び画像形成部４０に向けて供給するために用いられる搬送路である。反転搬送路５３４に沿って、例えば２つの反転搬送ロール５４８、５４８が配置されている。反転搬送路５３４には、シートの後端部を挟みこんだ状態で排出ロール５４４が逆回転することでシートが後端部側から供給され、供給されたシートが反転搬送ロール５４８、５４８によって、レジストロール５４２の上流の位置へと搬送される。
【００４３】
副搬送路５３６は、シート供給装置５１０に収納されたシートとは異なるシートを画像形成部４０に供給するための搬送路である。副搬送路５３６には、供給用開閉部２２を開いた状態で画像形成装置本体１６の前側からシートが供給される。副搬送路５３６に沿って、搬送ロール５５２とリタードロール５５４とが設けられている。搬送ロール５５２は、副搬送路５３６に供給されシートを画像形成部４０に向けて搬送する。リタードロール５５４は、副搬送路５３６に供給されたシートを捌き、複数枚のシートが重なった状態でシートが画像形成部４０に搬送されることを防止するために用いられる。
【００４４】
図３には、主開閉部２６が画像形成装置本体１６に対して開閉される様子と、画像形成装置本体１６内に感光体ユニット２００が着脱される様子とが示されている。
図３に示されるように、画像形成装置本体１６に対して主開閉部２６を開くと、転写装置５８の中間転写ベルトユニット６０及びクリーニング装置９６が主開閉部２６とともに移動する。すなわち、中間転写ベルトユニット６０及びクリーニング装置９６は、画像形成装置本体１６に対して主開閉部２６と一体として開閉する。
【００４５】
主開閉部２６、中間転写ベルトユニット６０及びクリーニング装置９６が一体として画像形成装置本体１６に対して開かれると、画像形成装置本体１６に開口部３６が形成される。そして、開口部３６を介して、画像形成装置本体１６内に、感光体ユニット２００Ｙ、２００Ｍ、２００Ｃ、２００Ｋがそれぞれ着脱される。回収容器３００は、先述のように感光体ユニット２００Ｙと一体とされている。このため、回収容器３００は、感光体ユニット２００と一体して画像形成装置本体１６内に着脱される。
【００４６】
図４には、感光体ユニット２００Ｙが示されている。感光体ユニット２００Ｍ、２００Ｃ、２００Ｋは、用いる現像剤の色が異なるものの感光体ユニット２００Ｙと構成が同一であるため説明を省略する。
【００４７】
図４に示されるように、感光体ユニット２００Ｙは感光体ユニット本体２０２Ｙを有し、感光体ユニット本体２０２Ｙに先述の感光体ドラム２１０Ｙが装着されている。感光体ドラム２１０Ｙの一部分は、露出部分２１２Ｙとして感光体ユニット本体２０２Ｙの外部に露出している。感光体ユニット本体２０２Ｙは、感光体ドラム２１０Ｙの一部分が露出するよう装着された筐体として用いられている。
【００４８】
感光体ユニット本体２０２Ｙ内には、感光体ドラム２１０Ｙの表面を均一に帯電する帯電装置２２０Ｙが装着されている。帯電装置２２０Ｙは、感光体ドラム２１０Ｙに接触する帯電ロール２２２Ｙを有する。帯電装置２２０Ｙによって均一に帯電された感光体ドラム２１０Ｙの表面に、光書き込み装置４４（図１参照）によって潜像が書き込まれる。
【００４９】
また、感光体ユニット本体２０２Ｙ内には、クリーニング装置として用いられる掻き落とし部材２２４Ｙが装着されている。掻き落とし部材２２４Ｙは、１次転写ロール８０Ｙ（図１参照）によってイエローのトナー像が中間転写ベルト６２に転写された後に感光体ドラム２１０Ｙの表面に残留したイエローのトナーを掻き落とす。
【００５０】
また、感光体ユニット本体２０２Ｙ内には、掻き落とし部材２２４Ｙによって感光体ドラム２１０Ｙの表面から掻き落とされたイエローのトナーを回収する回収室２２６Ｙが設けられている。
【００５１】
また、感光体ユニット本体２０２Ｙには、例えば支持部材２３２Ｙを介して、シャッタ部材２３０Ｙが取り付けられている。シャッタ部材２３０Ｙは、移動部材として用いられている。また、シャッタ部材２３０Ｙは、リンク機構４００に連結されていて、リンク機構４００を介して、シャッタ部材２３０Ｙは先述の中間転写ベルトユニット６０に連結されている。
【００５２】
図５には、シャッタ部材２３０Ｙの動作が説明されている。シャッタ部材２３０Ｙは、第２の位置として用いられる図４（ａ）に示される位置と、第１の位置として用いられる図４（ｂ）に示される位置との間で移動する。
図４（ａ）に示される位置である第２の位置は、シャッタ部材２３０Ｙが感光体ドラム２１０Ｙの露出部分２１２Ｙを覆う位置（以下、覆う位置とする）である。また、図４（ｂ）に示される位置である第１の位置は、シャッタ部材２３０Ｙが露出部分２１２Ｙを感光体ユニット本体２０２から露出させる位置（以下、露出させる位置とする）である。
【００５３】
シャッタ部材２３０Ｙは、感光体ユニット２００Ｙが画像形成装置本体１６から取り外された状態においては、図５（ａ）に示される覆う位置にある。また、シャッタ部材２３０Ｙは、感光体ユニット２００Ｙが画像形成装置本体１６内に装着され、中間転写ベルトユニット６０が画像形成装置本体１６に対して開いた状態にあると、図５（ａ）に示される覆う位置にある。一方、シャッタ部材２３０Ｙは、感光体ユニット２００Ｙが画像形成装置本体１６内に装着され、中間転写ベルトユニット６０が画像形成装置本体１６に対して閉じられた状態にあっては、図５（ｂ）に示される覆う位置にある。
【００５４】
シャッタ部材２３０Ｙは、先述のリンク機構４００によって中間転写ベルトユニット６０に連結されていて、リンク機構４００の作用によって、中間転写ベルトユニット６０が画像形成装置本体１６に対して開かれる動作に連係して露出させる位置から覆う位置に移動するようになっている。また、シャッタ部材２３０Ｙは、リンク機構４００の作用によって、中間転写ベルトユニット６０が画像形成装置本体１６に対して閉じられる動作に連係して露出させる位置から覆う位置へと移動するようになっている。
【００５５】
このように、画像形成装置本体１６内に感光体ユニット２００Ｙが装着され、画像形成装置本体１６に対して中間転写ベルトユニット６０が閉じられると、感光体ユニット２００Ｙは画像形成が可能な状態となる。
【００５６】
図６乃至図８には、中間転写ベルトユニット６０が示されている。
中間転写ベルトユニット６０は、右側板１０２と、左側板１０４と、右側板１０２及び左側板１０４を連結する連結部材１０６とを有する。右側板１０２、左側板１０４、及び連結部材１０６は、転写体として用いられる中間転写ベルト６２を支持する転写体支持部として用いられている。すなわち、右側板１０２及び左側板１０４には、先述の支持ロール６４、６６、６８、７０、７２（図１参照）が装着されていて、支持ロール６４、６６、６８、７０、７２を介して、右側板１０２及び左側板１０４が中間転写ベルト６２を支持している。
【００５７】
また、右側板１０２及び左側板１０４は、先述の１次転写ロール８０Ｙ、８０Ｍ、８０Ｃ、８０Ｋ（図１参照）を支持している。
【００５８】
また、中間転写ベルトユニット６０は、支持ロール７０（図１参照）の軸に装着されたギア９２を有する。ギア９２には駆動源として用いられるモータ９０から駆動が伝達され、ギア９２に駆動が伝達されることで、支持ロール７０が回転し、中間転写ベルト６２に駆動が伝達される。
【００５９】
また、中間転写ベルトユニット６０は、先述のリンク機構４００（図３参照）に連結されている。すなわち、リンク機構４００を介して中間転写ベルトユニット６０とシャッタ部材２３０Ｙ、２３０Ｍ、２３０Ｃ、２３０Ｋとは連結されている。このため、先述のように、画像形成装置本体１６に対して中間転写ベルトユニット６０が開閉されることに連係して、シャッタ部材２３０Ｙ、２３０Ｍ，２３０Ｃ、２３０Ｋが開閉する。
【００６０】
また、中間転写ベルトユニット６０には、装着部材１２２Ｙ、１２２Ｍ、１２２Ｃ、１２２Ｋを用いて、導光部材１２０Ｙ、１２０Ｍ、１２０Ｃ、１２０Ｋが取り付けられている。導光部材１２０Ｙ、１２０Ｍ、１２０Ｃ、１２０Ｋは、それぞれが、後述する発光部１４０、１４０、１４０、１４０から発せされた光を感光体ドラム２１０Ｙ、２１０Ｍ、２１０Ｃ、２１０Ｋに導く。
【００６１】
また、図８に示すように、画像形成装置本体１６内には、例えば本体フレーム１７に装着されるようにして例えば４個の発光部１４０が装着されている。発光部１４０は、それぞれが光源として用いられていて、それぞれが、例えば、ＬＥＤ（Ｌｉｇｈｔ Ｅｍｉｔｔｉｎｇ Ｄｉｏｄｅ）からなる。ぞれぞれの発光部１４０は、中間転写ベルトユニット６０が画像形成装置本体１６に対して閉じられた状態において、導光部材１２０Ｙ、１２０Ｍ、１２０Ｃ、１２０Ｋの左端部近傍に位置する状態となるよう配置されている。
【００６２】
画像形成装置本体１６に対して中間転写ベルトユニット６０が閉じられた状態で、それぞれの発光部１４０が発光すると、これらの光が導光部材１２０Ｙ、１２０Ｍ、１２０Ｃ、１２０Ｋによって感光体ドラム２１０Ｙ、２１０Ｍ、２１０Ｃ、２１０Ｋへと導かれて、感光体ドラム２１０Ｙ、２１０Ｍ、２１０Ｃ、２１０Ｋが除電される。これらの除電は、１次転写ロール８０Ｙ、８０Ｍ、８０Ｃ、８０Ｋによってトナー像がそれぞれに転写された後であって、掻き落とし部材２２４Ｙ、２２４Ｍ、２２４Ｃ，２２４Ｋによってそれぞれが清掃のなされる前の感光体ドラム２１０Ｙ，２１０Ｍ、２１０Ｃ、２１０Ｋに対してなされる。
【００６３】
装着部材１２２Ｙ、１２２Ｍ、１２２Ｃ、１２２Ｋは、ぞれぞれの右端部側が右側板１０２に支持され、それぞれの左端部側が左側板１０４に支持されている。このように、右側板１０２及び左側板１０４は、装着部材１２２Ｙ、１２２Ｍ、１２２Ｃ、１２２Ｋを介して導光部材１２０Ｙ、１２０Ｍ、１２０Ｃ、１２０Ｋを支持している。このように、中間転写ベルトユニット６０で導光部材１２０Ｙ、１２０Ｍ、１２０Ｃ、１２０Ｋを支持することにより、感光体ユニット２００Ｙ、２００Ｍ、２００Ｃ，２００Ｋに、導光部材１２０Ｙ，１２０Ｍ、１２０Ｃ、１２０Ｋを設ける場合と比較して、感光体ドラム２１０Ｙ、２１０Ｍ、２１０Ｃ、２１０Ｋの周囲に広い空間を確保することができる。
【００６４】
また、４個の発光部１４０は画像形成装置本体１６側に設けられ、導光部材１２０Ｙ、１２０Ｍ、１２０Ｃ、１２０Ｋのみが中間転写ベルトユニット６０に装着されているため、例えば中間転写ベルト６２を交換することを目的として中間転写ベルトユニット６０を交換する際に、導光部材１２０Ｙ、１２０Ｍ、１２０Ｃ、１２０Ｋのみを中間転写ベルト６２とともに交換すれば足り、４個の光源は中間転写ベルトユニット６０を交換した後も継続して利用することができる。
【００６５】
図９には、中間転写ベルトユニット６０の一部が拡大して示されている。
図９に示されるように、装着部材１２２Ｋの右端部側は、右側板１０２に回転することができるように取り付けられている。また、装着部材１２２Ｋには、例えばトーションスプリング等からなる付勢部材１２６Ｋが装着されていて、付勢部材１２６Ｋによって装着部材１２２Ｋ及び導光部材１２０Ｋは、図９に矢印で示す反時計回り方向に回転する方向に付勢されている。また、装着部材１２２Ｋ及び導光部材１２０Ｋの左端部側も、右端部側と同様に反時計回り方向に回転するように付勢されている。このため、導光部材１２０Ｋは、感光体ユニット本体２０２Ｋに対して押圧され、感光体ユニット本体２０２Ｋに対して位置決めされる。
【００６６】
同様の構成によって、導光部材１２０Ｙ、１２０Ｍ、１２０Ｃは、感光体ユニット本体２０２Ｙ、２０２Ｍ、２０２Ｃに対してそれぞれが押圧され、それぞれが感光体ユニット本体２０２Ｙ、２０２Ｍ、２０２Ｃに対して位置決めされる。
【００６７】
図１０は、画像形成装置本体１６に対して中間転写ベルトユニット６０が開かれる際の動作を説明する図である。
図１０に示されるように中間転写ベルトユニット６０を開く動作が開始されると、次のタイミングで、中間転写ベルトユニット６０とともに移動することで、導光部材１２０Ｙ、１２０Ｍ、１２０Ｃ、１２０Ｋが、感光体ドラム２１０Ｙ、２１０Ｍ、２１０Ｃ、２１０Ｋ近傍からそれぞれ退避する。そして、感光体ドラム２１０Ｙ、２１０Ｍ、２１０Ｃ，２１０Ｋが退避することにより形成された空き空間に入り込むようにして、シャッタ部材２３０Ｙ、２３０Ｍ、２３０Ｃ、２３０Ｋが露出させる位置（図５（ｂ）参照）から、覆う位置（図５（ａ）参照）へと移動する。
【００６８】
図１１は、画像形成装置本体￥１６に対して中間転写ベルトユニット６０が閉じられる際の動作を説明する図である。
図１１に示されるように中間転写ベルトユニット６０を開く動作が開始されると、次のタイミングで、シャッタ部材２３０Ｙ、２３０Ｍ、２３０Ｃ、２３０Ｋが覆う位置（図５（ａ）参照）から、露出させる位置（図５（ａ）参照）への移動を開始する。そして、シャッタ部材２３０Ｙ、２３０Ｍ、２３０Ｃ、２３０Ｋが露出させる位置へと移動することによって感光体ドラム２１０Ｙ、２１０Ｍ、２１０Ｃ、２１０Ｋ近傍に形成された空き空間に入り込むようにして、導光部材１２０Ｙ、１２０Ｍ、１２０Ｃ、１２０Ｋが感光体ユニット本体２０２Ｙ、２０２Ｍ、２０２Ｃ、２０２Ｋに押圧される。
【産業上の利用可能性】
【００６９】
以上で説明をしたように、本発明は、例えば複写機、プリンタ、ファクシミリ装置等の画像形成装置に適用することができる。
【符号の説明】
【００７０】
１０・・・画像形成装置
１６・・・画像形成装置本体
６０・・・中間転写ベルトユニット
６２・・・中間転写ベルト
１０２・・・右側板
１０４・・・左側板
１０６・・・連結部材
１２０・・・導光部材
１２２・・・装着部材
１２６・・・付勢部材
１４０・・・発光部
２００・・・感光体ユニット
２０２・・・感光体ユニット本体
２１０・・・感光体ドラム
２３０・・・シャッタ部材
４００・・リンク機構
【図１】
2010191328.tif 000003
【図２】
2010191328.tif 000004
【図３】
2010191328.tif 000005
【図４】
2010191328.tif 000006
【図５】
2010191328.tif 000007
【図６】
2010191328.tif 000008
【図７】
2010191328.tif 000009
【図８】
2010191328.tif 000010
【図９】
2010191328.tif 000011
【図１０】
2010191328.tif 000012
【図１１】
2010191328.tif 000013